(57)【要約】【課題】  勢い良く引戸を閉めても施錠されないカマ錠を提供する。【解決手段】  錠箱１内においてフロント板２に垂直な前後方向に移動可能に案内され、後端部に従動切欠６を形成したデッドボルト３と、上記従動切欠６と係合する作動アーム７を備え、シリンダ錠の内筒及び／又はサムターンに連係されたデッドカム８と、上記デッドボルト３に連係され、その前進に連動して外側に振り出されてストライク孔の開口端縁内面に係止されるカマ５とを有するものにおいて、錠箱内にデッドボルトを後方に付勢するばね部材１７を弾装すると共に、デッドカムにおいてその回動中心に関し作動アームと対称的な角度位置に形成された操作端１９と、錠箱の側板に植設されたばね掛け支柱２２との間に、操作端の施錠角度位置と解錠角度位置との間で付勢方向が切替わる思案ばね２３を弾装する。【選択図】  図１
2008019622.tif 000002
【特許請求の範囲】
【請求項１】
錠箱内においてフロント板に垂直な前後方向に移動可能に案内され、後端部に従動切欠を形成したデッドボルトと、上記従動切欠と係合する作動アームを備え、シリンダ錠の内筒及び／又はサムターンに連係されたデッドカムと、上記デッドボルトに連係され、その前進に連動して外側に振り出されてストライク孔の開口端縁内面に係止されるカマとを有するものにおいて、錠箱内にデッドボルトを後方に付勢するばね部材を弾装すると共に、デッドカムにおいてその回動中心に関し作動アームと対称的な角度位置に形成された操作端と、錠箱の側板に植設されたばね掛けピンとの間に、操作端の施錠角度位置と解錠角度位置との間で付勢方向が切替わる思案ばねを弾装したことを特徴とするカマ錠。
【発明の詳細な説明】
【技術分野】
【０００１】
この発明は、所謂カマ錠と称される引戸用の錠前に係り、特に、カマを完全に錠箱内に引き込ませない状態で引戸を閉鎖しても施錠状態にならないカマ錠に関する。
【背景技術】
【０００２】
或種の引戸用の錠前は、図４乃至図６に示すように、錠箱１内においてフロント板２に垂直な前後方向（図では左右方向）に移動可能に案内されたデッドボルト３を備えている。
【０００３】
一方、錠箱１内において、フロント板２及びデッドボルト３の双方に近接した位置に支軸４が植設されており、この支軸４に一端を回動可能に支承されたカマ５を上記デッドボルト３に連結し、デッドボルト３が前方（図で左方）に移動するとカマ５が外側に振り出て図示しないストライク板のストライク孔の開口端縁内面に係止されるように構成されている。
【０００４】
なお、通常のデッドボルトと同様に、デッドボルト３の後端部には従動切欠６が形成されており、この従動切欠６と係合するデッドカム８を回動させることにより、図４乃至図６に示す順序でデッドボルト３を前方に駆動し、上記したようにカマ５を振出して引戸を戸枠に錠止する。
【特許文献１】特開平９−２７９９１９号公報
【発明の開示】
【発明が解決しようとする課題】
【０００５】
上記したカマ錠は、例えば図５に示すように、デッドボルト３が少しフロント板から突出した状態、換言すれば完全に解錠しないうちに引戸を開け、室内に入った後勢い良く引戸を閉めると、慣性によりデッドボルト３及びカマ５が前方に突出して引戸を施錠してしまう、という不都合が生じる。
【０００６】
この場合、例えば倉庫など外側にしか施解錠手段が無い部屋では、室内に入った人が閉じ込められてしまう危険性がある。
【０００７】
図示のカマ錠では、カマ錠の施錠状態（図６）及び解錠状態（図４）を安定的に保つため、クリックレバー９をデッドカムに一体的に形成された山形のクリック部材１１に弾接させているが、図示のブレーキ機構程度の係止力では衝撃によるデッドボルト３及びカマ５の突出を抑制することができない。
【０００８】
そこで、本出願人は、先に、上記特許文献１を以て、係止力が大きいクリック機構を提案したが、このクリック機構は少し構造が複雑でコストも高い、等未だ改良の余地がある。
【０００９】
そこで、この発明は、引戸をピシャンと閉めたときでもカマがフロント板から突出しない簡単な機構のクリック機構を備えたカマ錠を提供することを目的としている。
【課題を解決するための手段】
【００１０】
上記の目的を達成するため、請求項１に記載された発明は、錠箱内においてフロント板に垂直な前後方向に移動可能に案内され、後端部に従動切欠を形成したデッドボルトと、上記従動切欠と係合する作動アームを備え、シリンダ錠の内筒及び／又はサムターンに連係されたデッドカムと、上記デッドボルトに連係され、その前進に連動して外側に振り出されてストライク孔の開口端縁内面に係止されるカマとを有するものにおいて、錠箱内にデッドボルトを後方に付勢するばね部材を弾装すると共に、デッドカムにおいてその回動中心に関し作動アームと対称的な角度位置に形成された操作端と、錠箱の側板に植設されたばね掛け支柱との間に、操作端の施錠角度位置と解錠角度位置との間で付勢方向が切替わる思案ばねを弾装したことを特徴とする。
【発明の効果】
【００１１】
上記のように構成された請求項１に記載の発明によるカマ錠は、施錠状態においてはばね部材の弾力と思案ばねのそれとが合成されてデッドボルトを後方に押動するので、従来のカマ錠の例えば図５に示すような中途半端の位置を取ることがない。
【００１２】
同様の理由により、引戸が勢い良く閉まり、慣性力によりデッドボルトが前方に突出しようとしても、ばね部材及び思案ばねの弾力の和をその慣性力より大きく設定すれば、カマ錠が閉まってしまうことを有効に防止できる。
【００１３】
また、ばね部材も思案ばねも構造が簡単であるから、カマ錠の構成も簡単になり、かつ軽量化を図ることができる、等種々の効果を奏する。
【発明を実施するための最良の形態】
【００１４】
従来のカマ錠のクリックレバーを廃し、その代わりにばね部材と思案ばねとを弾装する、という簡単な構成で、引戸を勢い良く閉めるときにカマ錠が自動的に施錠されることを有効に防止できた。
【実施例１】
【００１５】
以下、この発明の一実施例を図１乃至図３を参照して説明する。
図１において符号３はデッドボルトを示し、このデッドボルト３は、図４乃至図６に示す従来のカマ錠のそれと同様に、板材をＵ字形に折り曲げた枠材で、その後端部に形成された水平な案内孔１２と錠箱側板に植設されたガイドピン１３との係合、及びフロント板２に開口した付番しないデッドボルト開口との係合により、錠箱１内において水平方向に移動可能に案内されている。
【００１６】
また、デッドボルト３の近傍にカマ５が揺動可能に設けられ、このカマ５は、上記デッドボルト３のＵ字形の隙間に嵌まり込む態様で収納されると共に、カマに形成された長穴１４とデッドボルト３側に設けられた係合ピン１３との係合を介してデッドボルト３に連係されている。
【００１７】
そして、デッドボルト３の前進、すなわち、図１におけるデッドボルト３の左方への移動に伴い、図２及び図３に示すように、デッドボルト３に連動してカマ５が外側に振り出され、このようにしてカマ錠が施錠されることは従来のカマ錠と同様である。
【００１８】
更にまた、図１及び図３に示すように、デッドボルト３の後端部に形成された従動切欠６とデッドカム８の作動アーム７との係合を介して、デッドカム８の回動に伴ってデッドボルト３が前後方向に駆動されることも従来のカマ錠と同様である。
【００１９】
一方、図２に示すように、錠箱の側板に第１ばね掛け支柱１６が配設され、これに巻装されたねじりコイルばねとしてのばね部材１７の一端がデッドボルト３側に設けられた第１ばね掛けピン１８に前方から弾接している。
【００２０】
他方、図３に示すように、デッドカム８の回動中心に関し作動アーム７とは対称的な角度位置に操作端１９が形成されており、この操作端１９には第２ばね掛けピン２１が植設されている。
【００２１】
また、錠箱１の側板には第２ばね掛け支柱２２が配設されており、この第２ばね掛け支柱２２と上記第２ばね掛けピン２１には、夫々全体の形状が略Ｕ字形の思案ばね２３の端部が巻き掛けられている。
【００２２】
この思案ばね２３の弾力の付勢方向は、図１乃至図３から明らかなように、操作端１９の施錠角度位置と解錠角度位置との間の角度位置で前後に切替わる。
【００２３】
上記のように構成されたこの発明の一実施例によるカマ錠は、デッドボルトの施錠位置ではばね部材１７及び思案ばね２３の弾力が重畳してデッドボルトに印加される。
【００２４】
そのため、従来のカマ錠のように、例えば図５に示すような中途半端な位置にデッドボルトが定座することがないことは前記した通りである。
【００２５】
また、ではばね部材１７及び思案ばね２３の弾力の和を適切に設定しておけば、施錠時引戸を勢い良く閉めた場合でも、デッドボルト３及びカマ５の突出を防止できる。
【図面の簡単な説明】
【００２６】
【図１】この発明の一実施例によるカマ錠の一部断面側面図で、施錠状態を示す。
【図２】この発明の一実施例によるカマ錠の一部断面側面図で、施錠状態から解錠状態に移行する中間の状態を示す。
【図３】この発明の一実施例によるカマ錠の一部断面側面図で、解錠状態を示す。
【図４】従来のカマ錠の一部断面側面図で、施錠状態を示す。
【図５】従来のカマ錠の一部断面側面図で、施錠状態から解錠状態に移行する中間の状態を示す。
【図６】従来のカマ錠の一部断面側面図で、解錠状態を示す。
【符号の説明】
【００２７】
１  錠箱
２  フロント板
３  デッドボルト
４  支軸
５  カマ
６  従動切欠
７  作動アーム
８  デッドカム
１７  ばね部材
１９  操作端
２３  思案ばね
【図１】
2008019622.tif 000003
【図２】
2008019622.tif 000004
【図３】
2008019622.tif 000005
【図４】
2008019622.tif 000006
【図５】
2008019622.tif 000007
【図６】
2008019622.tif 000008